(57)【要約】【課題】異なる形状の部材が少なくなり、筒状体を簡単に組み立てるとともに、筒状体の断面形状の自由度を高めることができる光ダクトを提供することを課題とする。【解決手段】筒状体１０の内面に鏡面材４０が取り付けられた光ダクト１であって、筒状体１０は、複数の壁部材２０，３０を接続することで形成されており、各壁部材２０，３０は平板部を有し、平板部の一方の側縁部に係合部が形成され、他方の側縁部に被係合部が形成され、壁部材２０，３０の係合部と、他の壁部材２０，３０の被係合部とが接続されている。【選択図】図１
2011100580.tif 000002
【特許請求の範囲】
【請求項１】
筒状体の内面に鏡面材が取り付けられた光ダクトであって、
前記筒状体は、少なくとも三体の壁部材を接続することで形成されており、
前記各壁部材は平板部を有し、前記平板部の一方の側縁部に係合部が形成され、他方の側縁部に被係合部が形成され、
前記壁部材の前記係合部と、他の前記壁部材の前記被係合部とが接続されていることを特徴とする光ダクト。
【請求項２】
前記係合部は、前記平板部の一方の側縁部に形成された突出部であるとともに、前記被係合部は、前記平板部の他方の側縁部に形成された溝部であり、前記係合部が前記被係合部に挿入されることを特徴とする請求項１に記載の光ダクト。
【請求項３】
前記係合部は、前記平板部の一方の側縁部に形成された係合片であるとともに、前記被係合部は、前記平板部の他方の側縁部に形成された係合片であり、前記係合部と前記被係合部とが当接して係合されることを特徴とする請求項１に記載の光ダクト。
【請求項４】
前記壁部材には、前記平板部の外面に突設したリブ片が設けられており、
前記壁部材の前記係合部と、他の前記壁部材の前記被係合部とが接続された状態では、前記壁部材の前記リブ片の先端部と、他の前記壁部材の前記リブ片の先端部とが接続されることで、前記筒状体の外面に中空のリブが形成されることを特徴とする請求項１から請求項３のいずれか一項に記載の光ダクト。
【請求項５】
前記壁部材の前記リブ片の先端部と、他の前記壁部材の前記リブ片の先端部とは、固定部材によって固着されていることを特徴とする請求項４に記載の光ダクト。
【請求項６】
前記壁部材の前記係合部と、他の前記壁部材の前記被係合部との接続部位に、シール部材が設けられていることを特徴とする請求項１から請求項５のいずれか一項に記載の光ダクト。
【発明の詳細な説明】
【技術分野】
【０００１】
本発明は光ダクトに関する。
【背景技術】
【０００２】
家屋などの建物に設置される光ダクトは、内面に鏡面材が取り付けられた筒状体を備えており、この筒状体に入射された太陽光を鏡面材の鏡面に反射させながら室内に導くように構成されている。
このような光ダクトとしては、複数の壁部材を接続して筒状体を形成しているものがある。具体的には、各壁部材の側縁部にフランジ部を形成し、隣り合う壁部材のフランジ部を重ね合わせ、重なった二つのフランジ部をコの字形状のファスナーによって挟み込むことで各壁部材を接続している（例えば、特許文献１参照）。
【先行技術文献】
【特許文献】
【０００３】
【特許文献１】実開昭５８−１６４０９号公報
【発明の概要】
【発明が解決しようとする課題】
【０００４】
前記した従来の光ダクトでは、異なる形状の部材が多くなり、それらを接続する作業が煩雑になるという問題がある。
【０００５】
そこで、本発明では、前記した問題を解決し、異なる形状の部材が少なくなり、筒状体を簡単に組み立てることができるとともに、筒状体の断面形状の自由度を高めることができる光ダクトを提供することを課題とする。
【課題を解決するための手段】
【０００６】
前記課題を解決するため、本発明は、筒状体の内面に鏡面材が取り付けられた光ダクトであって、前記筒状体は、少なくとも三体の壁部材を接続することで形成されており、前記各壁部材は平板部を有し、前記平板部の一方の側縁部に係合部が形成され、他方の側縁部に被係合部が形成され、前記壁部材の前記係合部と、他の前記壁部材の前記被係合部とが接続されていることを特徴としている。
【０００７】
この構成では、壁部材に係合部と被係合部とが形成されており、各壁部材を簡単に接続することができるため、筒状体を簡単に組み立てることができる。
また、壁部材の個数や接続角度を変化させることで、筒状体の断面形状を変化させることができる。そのため、筒状体の断面形状の自由度を高めることができ、光ダクトを適用可能な設置環境を広げることができる。
また、筒状体を細分化された部材の組み合わせによって形成することで、各壁部材の寸法が小さくなるため、各壁部材を精度良く成形することができる。特に、壁部材がアルミニウム合金などの押出し形材である場合には、小型の押出し成形装置によって、各壁部材を精度良く形成することができる。したがって、筒状体の内面を平坦に形成することができ、鏡面の平面度を高めることができる。これにより、光ダクト内の乱反射が抑制されるため、光ダクトが室内に導く入光量を大きくすることができる。
【０００８】
前記した光ダクトにおいて、前記係合部が前記平板部の一方の側縁部に形成された突出部であるとともに、前記被係合部が前記平板部の他方の側縁部に形成された溝部である場合には、前記係合部を前記被係合部に挿入することで、前記係合部と前記被係合部とを簡単に接続することができる。
【０００９】
前記した光ダクトにおいて、前記係合部が前記平板部の一方の側縁部に形成された係合片であるとともに、前記被係合部が前記平板部の他方の側縁部に形成された係合片である場合には、前記係合部と前記被係合部とを当接させて係合することで、前記係合部と前記被係合部とを簡単に接続することができる。
【００１０】
前記した光ダクトにおいて、前記壁部材には、前記平板部の外面に突設したリブ片が設けられており、前記壁部材の前記係合部と、他の前記壁部材の前記被係合部とが接続された状態では、前記壁部材の前記リブ片の先端部と、他の前記壁部材の前記リブ片の先端部とが接続されることで、前記筒状体の外面に中空のリブを形成することができる。
この構成では、筒状体の外面に形成された中空のリブによって、筒状体の強度を高めることができる。
【００１１】
前記した光ダクトにおいて、前記壁部材の前記リブ片の先端部と、他の前記壁部材の前記リブ片の先端部とを、固定部材によって固着させることができる。この構成では、隣り合う壁部材のリブ片をリベットやねじなどの固定部材によって固着させることで、各壁部材を確実に接続することができる。
【００１２】
前記した光ダクトにおいて、前記壁部材の前記係合部と、他の前記壁部材の前記被係合部との接続部位にシール部材を設けることで、筒状体の気密性を高めることができる。
【発明の効果】
【００１３】
本発明の光ダクトでは、各壁部材を簡単に接続することができるため、筒状体を簡単に組み立てることができる。
また、筒状体の断面形状の自由度を高めることができ、光ダクトを適用可能な設置環境を広げることができる。
また、筒状体の内面を平坦に形成することができ、鏡面の平面度を高めることができるため、光ダクト内の乱反射が抑制され、光ダクトが室内に導く入光量を大きくすることができる。
【図面の簡単な説明】
【００１４】
【図１】第一実施形態の光ダクトを示した斜視図である。
【図２】第一実施形態の筒状体の一辺を示した正面図である。
【図３】第一実施形態のコーナー用壁部材を示した斜視図である。
【図４】第一実施形態の平面用壁部材を示した斜視図である。
【図５】第一実施形態の壁部材の接続部位を示した図で、（ａ）は筒状体のコーナーにおける接続部位の正面図、（ｂ）は筒状体の平面における接続部位の正面図である。
【図６】第一実施形態の光ダクトを連結させた状態の側面図である。
【図７】第一実施形態のコーナー用壁部材の変形例を示した図で、（ａ）は被係合部が内側に傾斜した構成の正面図、（ｂ）は被係合部が外側に傾斜した構成の正面図である。
【図８】第二実施形態のコーナー用壁部材を示した斜視図である。
【図９】第二実施形態の平面用壁部材を示した斜視図である。
【図１０】第二実施形態の壁部材の接続部位を示した図で、（ａ）は筒状体のコーナーにおける接続部位の正面図、（ｂ）は筒状体の平面における接続部位の正面図である。
【発明を実施するための形態】
【００１５】
次に、本発明の実施形態について、適宜図面を参照しながら詳細に説明する。
なお、各実施形態の説明において、同一の構成要素に関しては同一の符号を付し、重複した説明は省略するものとする。
【００１６】
［第一実施形態］
図１に示す第一実施形態の光ダクト１は、家屋などの建物に設置されるものであり、内面に鏡面材４０が取り付けられた筒状体１０を備えており、この筒状体１０に入射された太陽光を鏡面材４０の鏡面に反射させながら室内に導くものである。
【００１７】
筒状体１０は、複数の壁部材２０，３０によって形成されており、断面形状が正方形の部材である。筒状体１０の各辺は、図２に示すように、一体のコーナー用壁部材２０と二体の平面用壁部材３０，３０とを幅方向（短手方向）に並べて接続することで形成されている。
【００１８】
コーナー用壁部材２０は、図３に示すように、平板部２１が形成されたアルミニウム合金製の押出形材であり、図３の左側の側縁部２１ａに係合部２２が形成され、図３の右側の側縁部２１ｂに被係合部２３が形成されている。
なお、コーナー用壁部材２０に関する説明では、便宜上、図３に示されたコーナー用壁部材２０の上下左右方向に基づいて各部を説明している。そして、平板部２１の上側の面は内面２１ｄとなり、下側の面は外面２１ｃとなっている。
平板部２１の外面２１ｃには、左右方向に間隔を空けて係合側リブ片２４と支持用リブ片２５とが突設されている。さらに、平板部２１の右側の側縁部２１ｂには被係合側リブ片２６が右側に向けて突設されている。
【００１９】
コーナー用壁部材２０の係合部２２は、平板部２１の左側の側縁部２１ａから下側に突出した突出部である。この係合部２２は、平板部２１の長手方向の全長に亘って形成されている。
【００２０】
係合側リブ片２４は、平板部２１の外面２１ｃにおいて、左側の側縁部２１ａよりも右側に設けられている。係合側リブ片２４には、平板部２１の外面２１ｃから下側に突出した第一壁部２４ａと、第一壁部２４ａの先端部から左側に突出した第二壁部２４ｂと、が形成されている。この係合側リブ片２４は、平板部２１の長手方向の全長に亘って形成されている。
係合側リブ片２４と一方の側縁部２１ａとは、断面がコの字形状となるように形成されている。
また、係合側リブ片２４の第二壁部２４ｂには、複数の取付孔２４ｃが長手方向に間隔を空けて形成されている。
【００２１】
コーナー用壁部材２０の被係合部２３は、平板部２１の右側の側縁部２１ｂに形成された溝部である。
被係合部２３は、右側に向けて窪んだ凹溝であり、平板部２１の内面２１ｄから上側に突出した突出部２７の基端部に形成され、平板部２１の長手方向の全長に亘って形成されている。
この被係合部２３は、後記する平面用壁部材３０の係合部３２（図４参照）が挿入される部位である。
また、突出部２７の先端部は、図５（ａ）に示すように、平面用壁部材３０の外面３１ｃに重ね合わされる部位である。
【００２２】
被係合側リブ片２６は、図３に示すように、平板部２１の右側の側縁部２１ｂに設けられている。被係合側リブ片２６は、平板部２１の右側の側縁部２１ｂから右側に突出した第一壁部２６ａと、第一壁部２６ａの先端部から上側に突出した第二壁部２６ｂとが形成されている。この被係合リブ片２６は、平板部２１の長手方向の全長に亘って形成されている。
被係合側リブ片２６と突出部２７とは、断面がコの字形状となるように形成されている。
また、被係合側リブ片２６の第二壁部２６ｂには、複数の取付孔２６ｃが長手方向に間隔を空けて形成されている。
被係合側リブ片２６の第二壁部２６ｂは、図５（ａ）に示すように、平面用壁部材３０の係合側リブ片３４の第二壁部３４ｂの右側（外側）に重ね合わされる部位である。
【００２３】
支持用リブ片２５は、図３に示すように、平板部２１の右側の側縁部２１ｂに設けられている。支持用リブ片２５は、平板部２１の右側の側縁部２１ｂから下側に突出した第一壁部２５ａと、第一壁部２５ａの先端部から左側に突出した第二壁部２５ｂと、が形成されている。この支持用リブ片２５は、平板部２１の長手方向の全長に亘って形成されている。
そして、コーナー用壁部材２０の外面２１ｃを下側にして、コーナー用壁部材２０を作業面上に載置したときには、支持用リブ片２５と係合側リブ片２４とによってコーナー用壁部材２０全体が支持されるため、コーナー用壁部材２０を安定して作業面上に載置することができる。
【００２４】
平板部２１の内面２１ｄにおいて突出部２７よりも左側には、鏡面材４０の側縁部が載置される支持面２１ｅが形成されている。
支持面２１ｅは、平板部２１の内面２１ｄよりも上側に形成され、被係合部２３よりも下側に形成されており、平板部２１の長手方向の全長に亘って形成されている。
図５（ａ）に示すように、鏡面材４０の側縁部が支持面２１ｅに載置された状態では、平板部２１の内面２１ｄと鏡面材４０との間に隙間が形成される。この隙間は、鏡面材４０を平板部２１の内面２１ｄに固着させるための両面テープ（図示せず）を設けるための空間である。
また、平面用壁部材３０の係合部３２が被係合部２３内に挿入されたときには、平面用壁部材３０の係合部３２と支持面２１ｅとの間に鏡面材４０の側縁部が入り込むことになる。
【００２５】
平面用壁部材３０は、図４に示すように、平板部３１が形成されたアルミニウム合金製の押出形材であり、図４の左側の側縁部３１ａに係合部３２が形成され、図４の右側の側縁部３１ｂに被係合部３３が形成されている。
なお、平面用壁部材３０に関する説明では、便宜上、図４に示された平面用壁部材３０の上下左右方向に基づいて各部を説明している。そして、平板部３１の上側の面は内面３１ｄとなり、下側の面は外面３１ｃとなっている。
平板部３１の外面３１ｃには、左右方向に間隔を空けて係合側リブ片３４と被係合側リブ片３６とが突設されている。
【００２６】
平面用壁部材３０の係合部３２は、平板部３１の左側の側縁部３１ａから下側に突出した突出部である。この係合部３２は、平板部３１の長手方向の全長に亘って形成されている。
【００２７】
係合側リブ片３４は、平板部３１の外面３１ｃにおいて、左側の側縁部３１ａよりも右側に設けられている。係合側リブ片３４は、平板部３１の外面３１ｃから下側に突出した第一壁部３４ａと、第一壁部３４ａの先端部から左側に突出した第二壁部３４ｂと、が形成されている。この係合側リブ片３４は、平板部３１の長手方向の全長に亘って形成されている。
係合側リブ片３４と一方の側縁部３１ａとは、断面がコの字形状となるように形成されている。
また、係合側リブ片３４の第二壁部３４ｂには、複数の取付孔３４ｃが長手方向に間隔を空けて形成されている。
【００２８】
平面用壁部材３０の被係合部３３は、平板部３１の右側の側縁部３１ｂに形成された溝部である。
被係合部３３は、下側に向けて窪んだ凹溝であり、平板部３１の右側の側縁部３１ｂから右側に突出した突出部３７の基端部に形成され、平板部３１の長手方向の全長に亘って形成されている。
この被係合部３３は、コーナー用壁部材２０の係合部２２（図３参照）または他の平面用壁部材３０の係合部３２が挿入される部位である。
【００２９】
突出部３７の先端部は、図５（ｂ）に示すように、コーナー用壁部材２０の外面２１ｃに重ね合わされる部位である。また、図示しないが、平面用壁部材３０と他の平面用壁部材３０との接続部位においては、突出部３７の先端部は他の平面用壁部材３０の外面３１ｃに重ね合わされる。
そして、図２に示すように、平面用壁部材３０がコーナー用壁部材２０および他の平面用壁部材３０に接続された状態では、各壁部材２０，３０，３０の平板部２１，３１，３１の内面２１ｄ，３１ｄ，３１ｄが同一平面を形成することになる。
【００３０】
被係合側リブ片３６は、図４に示すように、平板部３１の右側の側縁部３１ｂに設けられている。被係合側リブ片３６は、平板部３１の右側の側縁部３１ｂから下側に向けて突出した第一壁部３６ａと、第一壁部３６ａの先端部から右側に突出した第二壁部３６ｂと、が形成されている。この被係合側リブ片３６は、平板部３１の長手方向の全長に亘って形成されている。
被係合側リブ片３６と突出部３７とは、断面がコの字形状となるように形成されている。
また、被係合側リブ片３６の第二壁部３６ｂには、複数の取付孔３６ｃが長手方向に間隔を空けて形成されている。
被係合側リブ片３６の第二壁部３６ｂは、図５（ｂ）に示すように、コーナー用壁部材２０の係合側リブ片２４の第二壁部２４ｂの下側（外側）に重ね合わされる部位である。また、図示しないが、平面用壁部材３０と他の平面用壁部材３０との接続部位においては、被係合側リブ片３６の第二壁部３６ｂは、他の平面用壁部材３０（図４参照）の係合側リブ片３４の第二壁部３４ｂの下側に重ね合わされる。
【００３１】
次に、図１に示す光ダクト１の組み付け手順について説明する。
筒状体１０の平面におけるコーナー用壁部材２０と平面用壁部材３０との接続は、図５（ｂ）に示すように、コーナー用壁部材２０の係合部２２を平面用壁部材３０の被係合部３３に挿入するとともに、コーナー用壁部材２０の係合側リブ片２４の第二壁部２４ｂを、平面用壁部材３０の被係合側リブ片３６の第二壁部３６ｂの上側に重ね合わせる。
これにより、コーナー用壁部材２０と平面用壁部材３０とが接続され、コーナー用壁部材２０の内面２１ｄと平面用壁部材３０の内面３１ｄとが同一平面となる。
【００３２】
コーナー用壁部材２０の係合部２２を平面用壁部材３０の被係合部３３に挿入するときには、予め係合部２２にシール部材（図示せず）を塗布するか、被係合部３３にシール部材を充填することで、係合部２２と被係合部３３との接合部位にシール部材を設けている。なお、シール部材としては、例えばシリコン系の充填材を用いることができる。
【００３３】
コーナー用壁部材２０と平面用壁部材３０との接続部位の下側（外側）には、係合側リブ片２４と被係合側リブ片３６によって中空のリブが形成される。
また、係合側リブ片２４の取付孔２４ｃと被係合側リブ片３６の取付孔３６ｃとは連通した状態となる。そして、各取付孔２４ｃ，３６ｃに挿通させたリベットＲ（特許請求の範囲における「固定手段」）によって、係合側リブ片２４の先端部と被係合側リブ片３６の先端部とを固着させる。
【００３４】
前記したコーナー用壁部材２０と平面用壁部材３０との接続と同様にして、図４に示す平面用壁部材３０の係合部３２を、他の平面用壁部材３０の被係合部３３に挿入して、二体の平面用壁部材３０，３０を接続する。これにより、図２に示すように、一体のコーナー用壁部材２０と二体の平面用壁部材３０，３０とによって筒状体１０の一辺が形成される。
【００３５】
接続された各壁部材２０，３０，３０の内面２１ｄ，３１ｄ，３１ｄに両面テープ（図示せず）を取り付けた後に、各壁部材２０，３０，３０の内面２１ｄ，３１ｄ，３１ｄ上に鏡面材４０を載置することで、筒状体１０の一辺の内側に鏡面材４０を貼り付ける。このとき、図５（ａ）に示すように、鏡面材４０の側縁部は、コーナー用壁部材２０の支持面２１ｅ上に載置される。
【００３６】
このようにして、筒状体１０の各辺をそれぞれ形成し、図５（ａ）に示すように、一辺のコーナー用壁部材２０の被係合部２３に、他の一辺の平面用壁部材３０の係合部３２を接続することで、筒状体１０のコーナーを形成する。
具体的には、平面用壁部材３０の係合部３２をコーナー用壁部材２０の被係合部２３に挿入するとともに、平面用壁部材３０の係合側リブ片３４の第二壁部３４ｂを、コーナー用壁部材２０の被係合側リブ片２６の第二壁部２６ｂの左側に重ね合わせる。
これにより、一辺のコーナー用壁部材２０の内面２１ｄと、他の一辺の平面用壁部材３０の内面３１ｄとが垂直に接続され、筒状体１０の二辺が垂直に接続される。
なお、平面用壁部材３０の係合部３２とコーナー用壁部材２０の被係合部２３との接合部位にはシール部材が設けられている。
【００３７】
また、コーナー用壁部材２０の支持面２１ｅに載置された鏡面材４０の側縁部は、平面用壁部材３０の係合部３２と支持面２１ｅとの間に入り込んだ状態となる。したがって、一辺の鏡面材４０の鏡面上に、他の一辺の鏡面材４０の側縁部が当接し、二辺の鏡面材４０，４０の鏡面が連続した状態となる。
【００３８】
一辺のコーナー用壁部材２０と、他の一辺の平面用壁部材３０との接続部位の右側（外側）には、被係合側リブ片２６と係合側リブ片３４とによって中空のリブが形成される。
また、被係合側リブ片２６の取付孔２６ｃと係合側リブ片３４の取付孔３４ｃとは連通した状態となる。そして、各取付孔２６ｃ，３４ｃに挿通されたリベットＲによって、被係合側リブ片２６の先端部と係合側リブ片３４の先端部とを固着させる。
【００３９】
そして、筒状体１０の各辺を順次に接続して、図１に示す光ダクト１を形成する。さらに、図６に示すように、筒状体１０の長手方向の両端部に形成された開口縁部にフランジ部材１１を取り付け、このフランジ部材１１を他の筒状体１０のフランジ部材１１に対してボルトなどの固定手段によって接続することで、複数の光ダクト１を連結させることができる。
【００４０】
以上のような第一実施形態の光ダクト１では、図２に示すように、各壁部材２０，３０に係合部２２，３２と被係合部２３，３３とが形成されており、各壁部材２０，３０を簡単に接続することができるため、筒状体１０を簡単に組み立てることができる。
前記した第一実施形態では、係合部２２，３２は平板部２１，３１の一方の側縁部２１ａ，３１ａに形成された突出部であるとともに、被係合部２３，３３は平板部２１，３１の他方の側縁部２１ｂ，３１ｂに形成された溝部であるため、係合部２２，３２を被係合部２３，３３に挿入することで、係合部２２，３２と被係合部２３，３３とを簡単に接続することができる。
【００４１】
また、筒状体１０を細分化された部材の組み合わせによって形成することで、各壁部材２０，３０の寸法が小さくなるため、アルミニウム合金製の押出し形材である壁部材２０，３０を、小型の押出し成形装置によって精度良く形成することができる。したがって、筒状体１０の内面を平坦に形成することができ、鏡面材４０の平面度を高めることができる。これにより、光ダクト１内の乱反射が抑制されるため、光ダクト１が室内に導く入光量を大きくすることができる。
【００４２】
また、筒状体１０の外面には各リブ片２４，２６，３４，３６によって中空のリブが形成されるため、筒状体１０の強度を高めることができる。
また、各リブ片２４，２６，３４，３６をリベットＲによって固着させることで、各壁部材２０，３０が確実に接続されている。なお、リブ片２４，２６，３４，３６を固着させるための固定手段は、リベットＲに限定されるものではなく、ねじなどの各種の固定部材を用いることができる。
【００４３】
また、係合部２２，３２と被係合部２３，３３との接続部位にシール部材を設けることで、筒状体１０の気密性が高くなっている。なお、第一実施形態では、シール部材としてシリコン系の充填材を用いているが、ゴム製のシール部材を接続部位に取り付けてもよく、その構成は限定されるものではない。
【００４４】
以上、本発明の第一実施形態について説明したが、本発明は前記第一実施形態に限定されることなく、その趣旨を逸脱しない範囲で適宜に変更が可能である。
例えば、第一実施形態では、図１に示すように、筒状体１０の一辺が三体の壁部材２０，３０，３０によって形成されており、十二体の壁部材２０，３０によって筒状体１０が形成されているが、四体のコーナー用壁部材２０によって、断面形状が方形の筒状体を形成することもできる。また、縦辺および横辺を異なる個数の壁部材２０，３０によって形成することで、断面形状が長方形の筒状体を簡単に形成することができる。
【００４５】
また、図７（ａ）に示すように、被係合部２３を上側に向けて傾斜させたコーナー用壁部材２０Ａや、図７（ｂ）に示すように、被係合部２３を下側に傾斜させたコーナー用壁部材２０Ｂを用いることで、各壁部材２０，３０の接続角度を変化させることができる。そして、各壁部材２０，３０の接続角度を変化させることで、筒状体の断面形状を三角形や五角形など様々な多角形に形成することができる。
なお、三体の壁部材によって断面形状が三角形の筒状体を形成した場合には、最も少ない個数の壁部材によって筒状体を形成することができる。
【００４６】
このように、第一実施形態の光ダクト１では、壁部材２０，３０の個数や接続角度を変化させることで、筒状体１０の断面形状を変化させることができるため、筒状体１０の断面形状の自由度を高めることができ、光ダクト１を適用可能な設置環境を広げることができる。
【００４７】
［第二実施形態］
次に、本発明の第二実施形態の光ダクトについて説明する。
第二実施形態の光ダクトでは、前記した第一実施形態の光ダクト１（図１参照）に対して、筒状体を構成する壁部材５０，６０の係合部５２，６２、被係合部５３，６３およびリブ片５４，５６，６４，６６の形状が異なっている。
【００４８】
コーナー用壁部材５０の係合部５２は、図８に示すように、平板部５１の左側の側縁部５１ａから下側に突出した係合片である。この係合部５２の左側の部位には傾斜面が形成されている。
【００４９】
係合側リブ片５４は、平板部５１の左側の側縁部５１ａに設けられている。係合側リブ片５４は、平板部５１の外面５１ｃから下側に突出した第一壁部５４ａと、第一壁部５４ａの先端部から左側に突出した第二壁部５４ｂと、が形成されている。
また、第二壁部５４ｂの上側の面には、上側に突出した係合片５４ｃが形成されている。この係合片５４ｃの左側の部位には傾斜面が形成されている。
【００５０】
コーナー用壁部材５０の被係合部５３は、後記する平面用壁部材６０の係合部６２（図９参照）に当接して係合される係合片である。
被係合部５３は、平板部５１の右側の側縁部５１ｂにおいて、内面５１ｄから上側に突出した突出部５７の先端部に形成されており、左側に向けて突出している。この被係合部５３の上側の部位には傾斜面が形成されている。
【００５１】
被係合側リブ片５６は、平板部５１の右側の側縁部５１ｂに設けられている。被係合側リブ片５６は、平板部５１の右側の側縁部５１ｂから右側に突出した第一壁部５６ａと、第一壁部５６ａの先端部から上側に突出した第二壁部５６ｂとが形成されている。
また、第二壁部５６ｂの右側の面には、右側に突出した係合片５６ｃが形成されている。この係合片５６ｃの上側の部位には傾斜面が形成されている。
【００５２】
平面用壁部材６０の係合部６２は、図９に示すように、平板部６１の左側の側縁部６１ａから下側に突出した係合片である。この係合部６２の左側の部位には傾斜面が形成されている。
【００５３】
係合側リブ片６４は、平板部６１の左側の側縁部６１ａに設けられている。係合側リブ片６４は、平板部６１の外面６１ｃから下側に突出した第一壁部６４ａと、第一壁部６４ａの先端部から左側に突出した第二壁部６４ｂと、が形成されている。
また、第二壁部６４ｂの上側の面には、上側に突出した係合片６４ｃが形成されている。この係合片６４ｃの左側の部位には傾斜面が形成されている。
【００５４】
平面用壁部材６０の被係合部６３は、コーナー用壁部材５０の係合部５２（図８参照）に当接して係合される係合片である。
被係合部６３は、平板部６１の右側の側縁部６１ｂから右側に突出した突出部６７の先端部に形成されており、上側に突出している。この被係合部６３の右側の部位には傾斜面が形成されている。
【００５５】
被係合側リブ片６６は、平板部６１の右側の側縁部６１ｂに設けられている。被係合側リブ片６６は、外面６１ｃから下側に突出した第一壁部６６ａと、第一壁部６６ａの先端部から右側に突出した第二壁部６６ｂとが形成されている。
また、第二壁部６６ｂの下側の面には、下側に突出した係合片６６ｃが形成されている。この係合片６６ｃの右側の部位には傾斜面が形成されている。
【００５６】
第二実施形態の筒状体の平面におけるコーナー用壁部材５０と平面用壁部材６０とを接続する場合には、図１０（ｂ）に示すように、コーナー用壁部材５０の平板部５１の左側の側縁部５１ａを、平面用壁部材６０の突出部６７の上側に重ね合わせ、係合部５２を被係合部６３の左側に当接させて引っ掛けることで、係合部５２と被係合部６３とを左右方向に係合させる。
また、コーナー用壁部材５０の係合側リブ片５４の第二壁部５４ｂを、平面用壁部材６０の被係合側リブ片６６の第二壁部６６ｂの下側に重ね合わせ、係合側リブ片５４の係合片５４ｃを被係合側リブ片６６の係合片６６ｃの左側に当接させて引っ掛けることで、各係合片５４ｃ，６６ｃを左右方向に係合させる。
すなわち、平面用壁部材６０の突出部６７および被係合側リブ片６６の第二壁部６６ｂを、コーナー用壁部材５０の平板部５１の左側の側縁部５１ａおよび係合側リブ片５４の第二壁部５４ｃの間に押し込むことで、コーナー用壁部材５０と平面用壁部材６０とを簡単に接続することができる。
【００５７】
第二実施形態の筒状体のコーナーにおけるコーナー用壁部材５０と平面用壁部材６０とを接続する場合には、図１０（ａ）に示すように、平面用壁部材６０の平板部６１の下側の側縁部６１ａを、コーナー用壁部材５０の突出部５７の左側に重ね合わせ、係合部６２を被係合部５３の下側に当接させて引っ掛けることで、係合部６２と被係合部５３とを上下方向に係合させる。
また、平面用壁部材６０の係合側リブ片６４の第二壁部６４ｂを、コーナー用壁部材５０の被係合側リブ片５６の第二壁部５６ｂの右側に重ね合わせ、係合側リブ片６４の係合片６４ｃを被係合側リブ片５６の係合片５６ｃの下側に当接させて引っ掛けることで、各係合片６４ｃ，５６ｃを上下方向に係合させる。
すなわち、コーナー用壁部材５０の突出部５７および被係合側リブ片５６の第二壁部５６ｂを、平面用壁部材６０の平板部６１の下側の側縁部６１ａおよび係合側リブ片６４の第二壁部６４ｂの間に押し込むことで、コーナー用壁部材５０と平面用壁部材６０とを簡単に接続することができる。
【００５８】
なお、図９に示す平面用壁部材６０の係合部６２と、他の平面用壁部材６０の被係合部６３との接続は、前記した筒状体の平面におけるコーナー用壁部材５０と平面用壁部材６０との接続（図１０（ｂ）参照）と同じ構成である。
【００５９】
以上のような第二実施形態の光ダクトでは、図８および図９に示すように、各壁部材５０，６０に係合部５２，６２と被係合部５３，６３とが形成されており、各壁部材５０，６０を簡単に接続することができるため、筒状体を簡単に組み立てることができる。
また、第二実施形態では、係合部５２，６２は平板部５１，６１の左側の側縁部５１ａ，６１ａに形成された係合片であるとともに、被係合部５３，６３は平板部５１，６１の右側の側縁部５１ｂ，６１ｂに形成された係合片であるため、係合部５２，６２を被係合部５３，６３に当接させて係合させることで、係合部５２，６２と被係合部５３，６３とを簡単に接続することができる。
【符号の説明】
【００６０】
１      光ダクト
１０    筒状体
１１    フランジ部材
２０    コーナー用壁部材（第一実施形態）
２１    平板部（コーナー用壁部材）
２２    係合部（コーナー用壁部材）
２３    被係合部（コーナー用壁部材）
２４    係合側リブ片（コーナー用壁部材）
２５    支持用リブ片（コーナー用壁部材）
２６    被係合側リブ片（コーナー用壁部材）
２７    突出部（コーナー用壁部材）
３０    平面用壁部材（第一実施形態）
３１    平板部（平面用壁部材）
３２    係合部（平面用壁部材）
３３    被係合部（平面用壁部材）
３４    係合側リブ片（平面用壁部材）
３６    被係合側リブ片（平面用壁部材）
３７    突出部（平面用壁部材）
４０    鏡面材
５０    コーナー用壁部材（第二実施形態）
５１    平板部（コーナー用壁部材）
５２    係合部（コーナー用壁部材）
５３    被係合部（コーナー用壁部材）
５４    係合側リブ片（コーナー用壁部材）
５４ｃ  係合片（コーナー用壁部材）
５６    被係合側リブ片（コーナー用壁部材）
５６ｃ  係合片（コーナー用壁部材）
５７    突出部（コーナー用壁部材）
６０    平面用壁部材（第二実施形態）
６１    平板部（平面用壁部材）
６２    係合部（平面用壁部材）
６３    被係合部（平面用壁部材）
６４    係合側リブ片（平面用壁部材）
６４ｃ  係合片（平面用壁部材）
６６    被係合側リブ片（平面用壁部材）
６６ｃ  係合片（平面用壁部材）
６７    突出部（平面用壁部材）
Ｒ      リベット（固定手段）
【図１】
2011100580.tif 000003
【図２】
2011100580.tif 000004
【図３】
2011100580.tif 000005
【図４】
2011100580.tif 000006
【図５】
2011100580.tif 000007
【図６】
2011100580.tif 000008
【図７】
2011100580.tif 000009
【図８】
2011100580.tif 000010
【図９】
2011100580.tif 000011
【図１０】
2011100580.tif 000012